(57)【要約】【課題】浴室のリフォームの際、床梁材を撤去しなくても構築可能な洗い場排水構造を提供する。【解決手段】浴室１の旧浴槽及び旧洗い場パンを撤去する一方、床梁１１及び床小梁１５などの床梁材を残置する。洗い場下隙間１３に洗い場排水桝４５ｂを収め、かつ横行管５３を洗い場排水桝４５ｂから干渉回避位置１４へ向けてほぼ水平に配管する。横行管５３から通り抜け管５４を床下空間１０ｄへ抜けように配管し、床下排水管５５に連ねる。床下排水管５５に封水形成部５６を設ける。床梁材１１，１５上に新たな浴槽２及び洗い場パン３０を設置し、洗い場パン３０の排水口形成部材４を洗い場排水桝４５ｂに連ねる。【選択図】図２
2019157453.tif 000002
【特許請求の範囲】
【請求項１】
浴槽及び洗い場パンが複数の床梁材によって支持された浴室の排水構造であって、
前記洗い場の排水口に連なるとともに、前記洗い場パンと前記床梁材との間の洗い場下隙間に収まる洗い場排水桝と、
前記洗い場下隙間内を前記洗い場排水桝から前記床梁材との干渉を避ける干渉回避位置へほぼ水平に配管された横行管と、
前記干渉回避位置における前記横行管の下流端から前記床梁材の下方の床下空間へ抜ける通り抜け管と、
前記通り抜け管に連なるとともに前記床下空間に配管された床下排水管と、
前記床下排水管に設けられた封水形成部と、
を備えたことを特徴とする浴室の排水構造。
【請求項２】
前記浴槽からの排水路が、前記横行管に合流されていることを特徴とする請求項１に記載の排水構造。
【請求項３】
浴室をリフォームする方法であって、
前記浴室の旧浴槽及び旧洗い場パンを撤去する一方、これら旧浴槽及び旧洗い場パンを支えていた床梁材を残置し、
新たな洗い場パンの配置位置と前記床梁材との間の洗い場下隙間に洗い場排水桝を収め、かつ横行管を前記洗い場排水桝から前記洗い場下隙間における前記床梁材との干渉を避ける干渉回避位置へほぼ水平に配管し、かつ前記横行管の下流端に連なる通り抜け管を前記床梁材の下方の床下空間へ抜けるように配管し、かつ前記床下空間には前記通り抜け管に連なる床下排水管を配管するとともに前記床下排水管に封水形成部を設け、
前記床梁材上に新たな浴槽及び前記新たな洗い場パンを設置し、かつ前記洗い場排水桝を前記洗い場パンの排水口に連ねることを特徴とする浴室リフォーム方法。
【発明の詳細な説明】
【技術分野】
【０００１】
本発明は、浴室の排水構造及び浴室リフォーム方法に関し、特にリフォーム前の床梁及び床小梁などの床梁材をそのまま用いてリフォームされた浴室の洗い場パンに接続される排水構造及び浴室リフォーム方法に関する。
【背景技術】
【０００２】
ユニットバスなどの浴室をリフォームする際、浴槽や洗い場の広さ、排水口の位置、洗い場床面の高さなどがリフォーム前とは変更されることがある（特許文献１等参照）。例えば最近では脱衣室と浴室との間の段差を無くしてバリアフリーを実現するために、洗い場床面を低くする傾向がある。また、旧来の洗い場排水口はカウンターの底部などに配置されることが多かったが、最近の洗い場排水口は立ち上がり部の近くに配置される傾向にある。
【先行技術文献】
【特許文献】
【０００３】
【特許文献１】特開２０１７−０４４０５５号公報
【発明の概要】
【発明が解決しようとする課題】
【０００４】
リフォームの際、浴室底部の床梁、床小梁などの床梁材をも撤去して設置し直すことにすると、大掛かりな工事になり、騒音が発生し、工期が長くなり、費用が嵩む。一方、リフォーム前の床梁材を残置して、その上に新たな浴槽及び洗い場パンを設置することにすると、洗い場のトラップ等の封水形成部や排水配管が床梁材と干渉してしまう場合がある。例えばバリアフリーのために洗い場床面を低くすると、洗い場パンの下面と床梁材との間隔が狭くなり、該隙間に封水形成部を設置するのが困難になる。また、浴槽や洗い場の広さ、排水口の位置などを変更すると、排水口の下端に連なる排水配管が床梁材と干渉することがある。
本発明は、かかる事情に鑑み、浴室のリフォームの際、リフォーム前の床梁材を撤去せずにそのまま用いた場合でも、洗い場のトラップ等の封水形成部や排水配管が床梁材と干渉するのを防止することを目的とする。
【課題を解決するための手段】
【０００５】
前記課題を解決するために、本発明構造は、浴槽及び洗い場パンが複数の床梁材によって支持された浴室の排水構造であって、
前記洗い場の排水口に連なるとともに、前記洗い場パンと前記床梁材との間の洗い場下隙間に収まる洗い場排水桝と、
前記洗い場下隙間内を前記洗い場排水桝から前記床梁材との干渉を避ける干渉回避位置へほぼ水平に配管された横行管と、
前記干渉回避位置における前記横行管の下流端から前記床梁材の下方の床下空間へ抜ける通り抜け管と、
前記通り抜け管に連なるとともに前記床下空間に配管された床下排水管と、
前記床下排水管に設けられた封水形成部と、
を備えたことを特徴とする。
【０００６】
当該排水構造はリフォーム後の浴室の排水構造として適している。リフォーム等の際は、好ましくはリフォーム前の床梁材を残置する。リフォーム前の床梁材を撤去せずにそのまま用いることによって、施工を簡素化でき、騒音の発生を抑制でき、工期を短縮でき、リフォーム費用を低減できる。
洗い場排水桝は好ましくは浅くかつ平面視で広く形成する。洗い場排水桝を浅く（高さを低く）することによって、直下に床梁材が在って洗い場下隙間が狭くても、該洗い場下隙間に洗い場排水桝を確実に収めることができる。さらには床梁材の配置に拘わらず、洗い場排水桝が床梁材と干渉するのを回避できる。洗い場排水桝を平面視で広くすることによって、洗い場からの排水能力（排水可能流量）を確保できる。
床梁材の配置に応じて、横行管を干渉回避位置までの延ばすことによって、通り抜け管が床梁材と干渉するのを避けることができる。床下空間に封水形成部を設けることによって封水の高さを確保できる。洗い場排水桝には封水形成部を設ける必要が無いから、洗い場排水桝を確実に浅くできる。
【０００７】
前記浴槽からの排水路が、前記横行管に合流されていることが好ましい。これによって、浴室全体の排水構造を簡素化できる。
【０００８】
本発明方法は、浴室をリフォームする方法であって、
前記浴室の旧浴槽及び旧洗い場パンを撤去する一方、これら旧浴槽及び旧洗い場パンを支えていた床梁材を残置し、
新たな洗い場パンの配置位置と前記床梁材との間の洗い場下隙間に洗い場排水桝を収め、かつ横行管を前記洗い場排水桝から前記洗い場下隙間における前記床梁材との干渉を避ける干渉回避位置へほぼ水平に配管し、かつ前記横行管の下流端に連なる通り抜け管を前記床梁材の下方の床下空間へ抜けるように配管し、かつ前記床下空間には前記通り抜け管に連なる床下排水管を配管するとともに前記床下排水管に封水形成部を設け、
前記床梁材上に新たな浴槽及び前記新たな洗い場パンを設置し、かつ前記洗い場排水桝を前記洗い場パンの排水口に連ねることを特徴とする。
【発明の効果】
【０００９】
本発明によれば、浴室のリフォームの際、リフォーム前の床梁材を撤去せずにそのまま用いるとともに、洗い場の排水構造を前記床梁材と干渉しないように構築することができる。
【図面の簡単な説明】
【００１０】
【図１】図１は、本発明の一実施形態に係る浴室をリフォーム後の状態で示す、床梁材の上面付近の高さにおける平面断面図である。
【図２】図２は、図１のＩＩ−ＩＩ線に沿う前記浴室の側面断面図である。
【図３】図３は、図１のＩＩＩ−ＩＩＩ線に沿う前記浴室の側面断面図である。
【図４】図４は、浴室をリフォームする建物の変形例を示し、複数の建物ユニットを含むユニット建物の斜視図である。
【発明を実施するための形態】
【００１１】
以下、本発明の一実施形態を図面にしたがって説明する。
図１〜図３は、例えば戸建て住宅におけるリフォーム後の浴室１を示したものである。浴室１は、浴槽２と洗い場３を備えたユニットバスになっており、床梁構造１０によって支持されている。床梁構造１０は、リフォーム前のものが撤去されずにそのまま用いられている。床梁構造１０は、床梁材として、浴室１の周囲の基礎（図示せず）上に架け渡された縦横４つの床梁１１と、これら床梁１１の内側に水平に架け渡された複数の床小梁１５とを含む。これら床梁材１１，１５は、Ｈ鋼などの鉄骨によって構成されている。床梁構造１０の内部には互いに並行及び／又は交差する床梁材１１，１５によって床梁材間空間１０ａ，１０ｃ等が形成されている。床梁構造１０の下方には床下空間１０ｄが形成されている。
なお、リフォームによって、浴槽２や洗い場３の広さや高さ、後記排水口４１ａ，４２ａ，４３ａの位置などがリフォーム前とは変わっている。
【００１２】
図４に示すように、浴室１の床梁構造１０が、工場製作の建物ユニット５の床部分によって構成されていてもよい。建物ユニット５は、床部分の床梁１１及び床小梁１５に加えて、柱５ｃ及び天井梁５ｄからなる直方体形状のボックスラーメン構造の鉄骨フレーム５ｆを含む。複数の建物ユニット５，５Ｂ，…が組み合わさってユニット建物５Ｘが構築されている。１つの建物ユニット５の長手方向の一部分に浴室１が設けられている。当該建物ユニット５の長手方向の残り部分５ｅは、浴室１以外の室として用いられている。なお、図４においては、浴室１の床小梁１５などの図示が簡略化されている。また、残り部分５ｅの床小梁などの図示は省略されている。
建物ユニット５の鉄骨フレーム５ｆは、リフォーム後においてもリフォーム前のものが撤去されずにそのまま用いられていることが好ましい。
【００１３】
図２に示すように、リフォーム後の新たな浴槽２は、図において二点鎖線によって示す浴槽本体２０と、浴槽受けパン２２を含む。浴槽受けパン２２は、発泡樹脂からなる浴槽受けパン本体と、その表側面を覆う樹脂製の表層（図示省略）とを含む。浴槽受けパン２２が、脚部２６を介して床梁材１１，１５に載せられて支持されている。浴槽受けパン２２上に浴槽本体２０が設置されている。
【００１４】
洗い場３にはリフォーム後の新たな洗い場パン３０が設置されている。詳細な図示は省略するが、洗い場パン３０は、発泡樹脂からなる洗い場パン本体と、該洗い場パン本体を上下から挟むように被さる金属製の上側補強板及び下側補強板を含む。洗い場パン３０における浴槽２側の端部には、立ち上がり部３５（土手）が設けられている。
【００１５】
図２に示すように、洗い場パン３０は、脚部３６を介して床梁材１１，１５に載せられて支持されている。洗い場パン３０と床梁材１１，１５との間には、脚部３６の高さ分の洗い場下隙間１３が形成されている。
【００１６】
図１に示すように、浴室１の底部には排水構造４が設けられている。排水構造４は、浴槽排水口部材４１，４２と、洗い場排水口部材４３と、排水桝部材４５と、排水配管５３，５４，５５を有している。
【００１７】
図１に示すように、浴室１の底部の例えば中央付近に排水桝部材４５が配置されている。排水桝部材４５は、浴槽排水桝４５ａと洗い場排水桝４５ｂを一体に有し、浴槽２の底部から洗い場３の底部に跨っている。
【００１８】
図２に示すように、浴槽排水桝４５ａは、浴槽２の底部に配置され、床梁構造１０における浴槽側の床梁材間空間１０ａに上方から差し入れられている。なお、浴槽排水桝４４が床組み内空間１０ａから床下空間１０ｄへ突出されていてもよい。浴槽排水桝４５ａの深さ（高さ）は、洗い場排水桝４５ｂの深さ（高さ）より大きい。
【００１９】
図２に示すように、浴槽排水桝４５ａに排水口部材４１，４２が設けられている。排水口部材４１の上端部は、浴槽排水桝４５ａの上方へ突出されるとともに浴槽本体２０の底部に開口されることによって浴槽本体排水口４１ａ（浴槽排水口）を構成している。
排水口部材４２の上端部は、浴槽受けパン２２の底部に開口されることによって浴槽受け排水口４２ａ（浴槽排水口）を構成している。
【００２０】
図２に示すように、排水口部材４１，４２の下端部が浴槽排水桝４５ａ内に挿し入れられている。これによって、排水口４１ａ，４２ａが浴槽排水桝４５ａに連なっている。排水口部材４１，４２と浴槽排水桝４５ａとによって封水トラップが形成されている。
浴槽排水桝４５ａを浴槽側床梁材間空間１０ａに配置することによって浴槽排水桝４５ａの深さ（高さ）を大きくでき、前記封水トラップの封水高さを確保できる。
浴槽排水桝４５ａは、排水口部材４１，４２から洗い場３側（図２において右側）へ張り出すとともに上方へ盛り上がっている。
【００２１】
図２に示すように、洗い場排水桝４５ｂは、洗い場下隙間１３に配置されている。洗い場排水桝４５ｂの上板部に洗い場排水口部材４３が接続されている。洗い場排水口部材４３の上端部が洗い場パン３０の上面（洗い場床面）に開口されることによって洗い場排水口４３ａを構成している。洗い場排水口４３ａが、洗い場排水口部材４３の内部を介して洗い場排水桝４５ｂの内室に連なっている。図１に示すように、浴槽排水口４１ａ，４２ａと洗い場排水口４３ａとが、浴槽２と洗い場３の境１ｃを挟んで互いに近接するように配置されている。
床梁構造１０における前記境１ｃに沿う床小梁１５Ｃが、洗い場排水桝４５ｂの直下を横切っている。
【００２２】
図２に示すように、洗い場排水桝４５ｂは、浅くかつ平面視で広く形成されている。洗い場排水桝４５ｂの高さＨ４５ｂは、洗い場パン３０の底面と床梁構造１０の上面との間の距離Ｄ１３すなわち洗い場下隙間１３の高さよりも小さい（Ｈ４５ｂ＜Ｄ１３）。これによって、洗い場排水桝４５ｂが洗い場下隙間１３内に収まっている。言い換えると、洗い場下隙間１３が狭くても、洗い場排水桝４５ｂを浅くすることによって、洗い場排水桝４５ｂが床梁構造１０の床小梁１５Ｃ等と干渉するのを避けることができる。
洗い場排水桝４５ｂは、洗い場排水口部材４３から浴槽２側（図２において左側）へ拡がっている。
【００２３】
図２に示すように、排水桝部材４５の中央部において排水桝部材４５の浴槽排水桝４５ａと洗い場排水桝４５ｂとが一体的に連なっている。浴槽排水桝４５ａの内室と洗い場排水桝４５ｂの内室どうしは、仕切り壁４５ｃによって互いに仕切られている。仕切り壁４５ｃは、浴槽２と洗い場３の境１ｃ付近に配置されている。
【００２４】
図１に示すように、排水桝部材４５の中央部における幅方向（図１において上下）の一側部に横行管５３の上流端が接続されている。図２に示すように、横行管５３の上流端は、仕切り壁４５ｃの端面によって２つの接続口５３ａ，５３ｂに仕切られている。接続口５３ａが浴槽排水桝４５ａの内室と連なっている。接続口５３ｂが洗い場排水桝４５ｂの内室と連なっている。
横行管５３において、浴槽２からの排水路４１，４２，４５ａと洗い場３からの排水路４３，４５ｂとが合流されている。
【００２５】
図１及び図３に示すように、横行管５３は、洗い場下隙間１３内を床梁構造１０との干渉を避ける干渉回避位置１４へほぼ水平に配管されている。干渉回避位置１４は、床梁構造１０における洗い場側床梁材間空間１０ｃの上方に位置している。
図１に示すように、例えば横行管５３は、洗い場排水桝４５ｂから床小梁１５Ｃに沿って延びる管部分５３ｃと、その先端から直角に折れて干渉回避位置１４へ向かう管部分５３ｄを含む。なお、横行管５３が、床小梁１５Ｃに対して斜めに延びていてもよい。
【００２６】
図３に示すように、干渉回避位置１４における横行管５３の下流端に通り抜け管５４が連なっている。通り抜け管５４は、横行管５３から洗い場側床梁材間空間１０ｃを通り抜けて床下空間１０ｄへ延びている。
【００２７】
通り抜け管５４の下端部に床下排水管５５が連なっている。床下排水管５５は、床下空間１０ｄに配管され、床梁構造１０の下面に沿って下水管（図示せず）へ向けて延びている。
【００２８】
図３に示すように、床下排水管５５に封水形成部５６が設けられている。つまり、封水形成部５６は床下空間１０ｄに配置されている。封水形成部５６は、Ｕ字状に形成されている。封水形成部５６によって封水５６ａが確保される。
図３においては、封水形成部５６は、床下排水管５５の上流端すなわち通り抜け管５４との接続部に設けられているが、床下排水管５５の中途部に設けられていてもよい。
【００２９】
図１に示すように、浴室をリフォームする際は、旧浴槽及び旧洗い場（共に図示せず）を撤去する。一方、これら旧浴槽及び旧洗い場を支えていた床梁構造１０の床梁材１１，１５は撤去せずにそのまま残置する。前記ユニット建物５Ｘ（図４）においては、床梁材１１，１５を含む鉄骨フレーム５ｆの全体を撤去せずにそのまま用いることが好ましい。
【００３０】
床梁構造１０の床梁材１１，１５に沿って排水構造４を設ける。
詳しくは、浴室１の中央部近くの床梁構造１０上に排水桝部材４５を設置する。すなわち、排水桝部材４５の浴槽排水桝４５ａを浴槽側床梁材間空間１０ａに収容する。かつ床梁構造１０上の洗い場下隙間１３となるべき位置には、洗い場排水桝４５ｂを配置するとともに、横行管５３を洗い場排水桝４５ｂから干渉回避位置１４へほぼ水平に配管する。干渉回避位置１４における横行管５３の下端部に通り抜け管５４を接続するとともに、通り抜け管５４を洗い場側床梁材間空間１０ｃから床下空間１０ｄへ抜けるように配管する。更に床下空間１０ｄには封水形成部５６を含む床下排水管５５を配管し、通り抜け管５４と床下排水管５５を接続するとともに、床下排水管５５を下水管（図示省略）に連ねる。
【００３１】
その後、床梁構造１０上に新たな浴槽２及び新たな洗い場パン３０を設置する。これによって、浴槽排水桝４５ａ上に浴槽２が被さり、洗い場排水桝４５ｂ及び横行管５３上に洗い場パン３０が被さる。また、浴槽２の排水口部材４１，４２を浴槽排水桝４５ａに接続し、洗い場パン３０の排水口部材４３を洗い場排水桝４５ｂに接続する。
【００３２】
当該リフォーム方法によれば、洗い場排水桝４５ｂを浅く（高さを低く）することによって、直下に床梁構造１０の床梁材１１，１５が在っても洗い場下隙間１３に洗い場排水桝４５ｂを確実に収めることができ、床梁材１１，１５と洗い場排水桝４５ｂとが干渉するのを回避できる。かつ横行管５３を干渉回避位置１４まで延ばし、そこに通り抜け管５４を繋げることによって、排水構造４が床梁構造１０と干渉するのを確実に回避できる。更に、封水形成部５６を床下空間１０ｄに配置することによって封水５６ａの高さを十分に確保することができる。洗い場排水桝４５ｂには封水トラップを設ける必要がなく、Ｈ４５ｂ＜Ｄ１３の寸法関係を確保できる。
したがって、旧浴室の床梁材１１，１５を撤去しなくても、排水構造４を構築することができる。この結果、リフォーム作業を簡易化でき、工期を短くでき、費用を低減できる。
洗い場排水桝４５ｂを平面視で広くすることによって、洗い場３からの排水能力（排水可能流量）を確保できる。
浴槽排水桝４５ａについては浴槽側床梁材間空間１０ａに配置することによって該浴槽排水桝４５ａの内室の深さ（高さ）を大きくでき、封水高さを確保できる。また、浴槽排水桝４４をある程度の容量に形成することによって、浴槽２からの排水能力（排水可能流量）を確保できる。
【００３３】
本発明は、前記実施形態に限定されるものではなく、その趣旨に反しない限りにおいて種々の改変をなすことができる。
例えば、浴槽排水桝４５ａと洗い場排水桝４５ｂとが互いに分離されていてもよい。この場合、横行管５３は洗い場排水桝４５ｂに接続される。浴槽排水桝４５ａには別の浴槽排水管が接続される。該浴槽排水管が、前記洗い場排水桝４５ｂより下流の洗い場排水管５３，５４，５５に合流されていてもよい。
洗い場排水桝４５ｂ内に封水トラップが設けられていてもよい。
浴槽の封水トラップをＳ字トラップ等の下方へ抜ける形式のトラップにしてもよい。
リフォームの際、床梁構造１０の必ずしも全部の床梁材１１，１５を残置する必要はない。劣化・損傷が進んだ床梁材１１，１５については撤去して取り替えることにしてもよい。
本排水構造は、リフォーム後の浴室だけでなく新築時の浴室の排水構造としても適用可能である。
【産業上の利用可能性】
【００３４】
本発明は、例えば戸建て住宅におけるユニットバスのリフォームに適用可能である。
【符号の説明】
【００３５】
１      浴室
１ｃ    境
２      浴槽
３      洗い場
４      排水構造
１０    床梁構造
１０ａ  浴槽側床梁材間空間
１０ｃ  洗い場側床梁材間空間
１０ｄ  床下空間
１１    床梁（床梁材）
１５    床小梁（床梁材）
１５Ｃ  境に沿う床小梁（床梁材）
１３    洗い場下隙間
１４    干渉回避位置
２０    浴槽本体
２２    浴槽受けパン
３０    洗い場パン
４３    洗い場排水口部材
４３ａ  洗い場の排水口
４５    排水桝部材
４５ｂ  洗い場排水桝
５３    横行管
５４    通り抜け管
５５    床下排水管
５６    封水形成部
【図１】
2019157453.tif 000003
【図２】
2019157453.tif 000004
【図３】
2019157453.tif 000005
【図４】
2019157453.tif 000006